(57)【特許請求の範囲】
【請求項１】
表示装置と、前記表示装置にコネクタを介して電気的に接続される電子機器と、を有する、表示システムであって、
前記電子機器は、表示すべき元画像を示す元画像信号を受信し又は生成し、前記元画像を上下又は左右に２分割した第１及び第２の部分画像をそれぞれ示す第１及び第２の分割画像信号を出力し、
前記表示装置は、
前記電子機器から出力された前記第１及び第２の分割画像信号を合成して前記元画像を示す合成画像信号を出力する画像合成部と、
前記合成画像信号に基づいて前記元画像を表示する表示部と、を有し、
前記画像合成部は、
前記第１の分割画像信号により示される、前記第１の部分画像を示す第１のデータが書き込まれる第１のメモリと、
前記第２の分割画像信号により示される、前記第２の部分画像を示す第２のデータが書き込まれる第２のメモリと、
前記第１のメモリから前記第１のデータを読み出す第１のデータ読み出し部と、
前記第２のメモリから前記第２のデータを読み出す第２のデータ読み出し部と、
前記電子機器から前記第１の分割画像信号を受信し、前記第１のデータ、第１のクロック信号及び第１のデータイネーブル信号をそれぞれ出力する第１の信号受信部と、
前記電子機器から前記第２の分割画像信号を受信し、前記第２のデータ、前記第１のクロック信号と同じ周波数の第２のクロック信号及び第２のデータイネーブル信号をそれぞれ出力する第２の信号受信部と、
前記第１のデータイネーブル信号により示される書き込みタイミングで前記第１のデータを前記第１のクロック信号に同期して前記第１のメモリに書き込む第１のデータ書き込み部と、
前記第２のデータイネーブル信号により示される書き込みタイミングで前記第２のデータを前記第２のクロック信号に同期して前記第２のメモリに書き込む第２のデータ書き込み部と、
前記第１又は第２のクロック信号と同じ周波数の第３のクロック信号を出力するクロック生成部と、を有し、
前記第１及び第２のデータ読み出し部はそれぞれ、前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリのうちの対応するメモリから前記第３のクロック信号に基づいてデータを読み出す、表示システム。
【請求項２】
請求項１に記載の表示システムにおいて、
前記第１及び第２の分割画像信号の周波数における前記コネクタの損失は、前記元画像信号の周波数における前記コネクタの損失より小さい、表示システム。
【請求項３】
請求項１又は２に記載の表示システムにおいて、
前記電子機器は、前記第１及び第２の分割画像信号を互いに異なる伝送形式で出力する、表示システム。
【請求項４】
請求項１又は２に記載の表示システムにおいて、
前記電子機器は、前記第１及び第２の分割画像信号を同一の伝送形式で出力する、表示システム。
【請求項５】
請求項１乃至４のいずれか１項に記載の表示システムにおいて、
前記電子機器は、当該電子機器を識別する識別情報を出力する識別情報出力部を、さらに有し、
前記表示装置は、前記識別情報に基づいて前記電子機器を認識し、前記第１及び第２の分割画像信号を合成する動作を制御する制御部を、さらに有する、表示システム。
【請求項６】
表示すべき元画像を示す元画像信号を受信し又は生成し、前記元画像を上下又は左右に２分割した第１及び第２の部分画像をそれぞれ示す第１及び第２の分割画像信号を出力する電子機器がコネクタを介して電気的に接続される表示装置であって、
前記電子機器から出力された前記第１及び第２の分割画像信号を合成して前記元画像を示す合成画像信号を出力する画像合成部と、
前記合成画像信号に基づいて前記元画像を表示する表示部と、を有し、
前記画像合成部は、
前記第１の分割画像信号により示される、前記第１の部分画像を示す第１のデータが書き込まれる第１のメモリと、
前記第２の分割画像信号により示される、前記第２の部分画像を示す第２のデータが書き込まれる第２のメモリと、
前記第１のメモリから前記第１のデータを読み出す第１のデータ読み出し部と、
前記第２のメモリから前記第２のデータを読み出す第２のデータ読み出し部と、
前記電子機器から前記第１の分割画像信号を受信し、前記第１のデータ、第１のクロック信号及び第１のデータイネーブル信号をそれぞれ出力する第１の信号受信部と、
前記電子機器から前記第２の分割画像信号を受信し、前記第２のデータ、前記第１のクロック信号と同じ周波数の第２のクロック信号及び第２のデータイネーブル信号をそれぞれ出力する第２の信号受信部と、
前記第１のデータイネーブル信号により示される書き込みタイミングで前記第１のデータを前記第１のクロック信号に同期して前記第１のメモリに書き込む第１のデータ書き込み部と、
前記第２のデータイネーブル信号により示される書き込みタイミングで前記第２のデータを前記第２のクロック信号に同期して前記第２のメモリに書き込む第２のデータ書き込み部と、
前記第１又は第２のクロック信号と同じ周波数の第３のクロック信号を出力するクロック生成部と、を有し、
前記第１及び第２のデータ読み出し部はそれぞれ、前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリのうちの対応するメモリから前記第３のクロック信号に基づいてデータを読み出す、表示装置。
【請求項７】
請求項６に記載の表示装置において、
前記第１及び第２の分割画像信号の周波数における前記コネクタの損失は、前記元画像信号の周波数における前記コネクタの損失より小さい、表示装置。
【請求項８】
請求項６又は７に記載の表示装置において、
前記画像合成部は、前記電子機器から互いに異なる伝送形式で出力された前記第１及び第２の分割画像信号を合成して前記元画像を示す合成画像信号を出力する、表示装置。
【請求項９】
請求項６又は７に記載の表示装置において、
前記画像合成部は、前記電子機器から同一の伝送形式で出力された前記第１及び第２の分割画像信号を合成して前記元画像を示す合成画像信号を出力する、表示装置。
【請求項１０】
請求項６乃至９のいずれか１項に記載の表示装置において、
前記電子機器から、当該電子機器を識別する識別情報を受信する受信部と、
前記識別情報に基づいて前記電子機器を認識し、前記第１及び第２の分割画像信号を合成する動作を制御する制御部と、をさらに有する、表示装置。
【請求項１１】
表示すべき元画像上下又は左右に２分割した第１及び第２の部分画像をそれぞれ示す、伝送形式が互いに異なる第１及び第２の分割画像信号を出力する画像分割部と、
前記画像分割部から出力された前記第１及び第２の分割画像信号を合成して前記元画像を示す合成画像信号を出力する画像合成部と、
前記合成画像信号に基づいて前記元画像を表示する表示部と、を有し、
前記画像合成部は、
前記第１の分割画像信号により示される、前記第１の部分画像を示す第１のデータが書き込まれる第１のメモリと、
前記第２の分割画像信号により示される、前記第２の部分画像を示す第２のデータが書き込まれる第２のメモリと、
前記第１のメモリから前記第１のデータを読み出す第１のデータ読み出し部と、
前記第２のメモリから前記第２のデータを読み出す第２のデータ読み出し部と、
前記電子機器から前記第１の分割画像信号を受信し、前記第１のデータ、第１のクロック信号及び第１のデータイネーブル信号をそれぞれ出力する第１の信号受信部と、
前記電子機器から前記第２の分割画像信号を受信し、前記第２のデータ、前記第１のクロック信号と同じ周波数の第２のクロック信号及び第２のデータイネーブル信号をそれぞれ出力する第２の信号受信部と、
前記第１のデータイネーブル信号により示される書き込みタイミングで前記第１のデータを前記第１のクロック信号に同期して前記第１のメモリに書き込む第１のデータ書き込み部と、
前記第２のデータイネーブル信号により示される書き込みタイミングで前記第２のデータを前記第２のクロック信号に同期して前記第２のメモリに書き込む第２のデータ書き込み部と、
前記第１又は第２のクロック信号と同じ周波数の第３のクロック信号を出力するクロック生成部と、を有し、
前記第１及び第２のデータ読み出し部はそれぞれ、前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリのうちの対応するメモリから前記第３のクロック信号に基づいてデータを読み出す、表示装置。
【請求項１２】
請求項１１に記載の表示装置において、
前記画像分割部及び画像合成部は同一基板上に形成されている、表示装置。
【請求項１３】
表示装置と、前記表示装置にコネクタを介して電気的に接続される電子機器と、を有する表示システムにおいて行われる画像信号伝送方法であって、
前記電子機器が、表示すべき元画像を示す元画像信号を受信し又は生成し、前記元画像を上下又は左右に２分割した第１及び第２の部分画像をそれぞれ示す第１及び第２の分割画像信号を出力する第１のステップと、
前記表示装置が、前記電子機器から出力された前記第１及び第２の分割画像信号を合成して前記元画像を示す合成画像信号を生成し、該合成画像信号に基づいて前記元画像を表示する第２のステップと、を有し、
前記第２のステップは、
前記電子機器から前記第１の分割画像信号を受信し、該第１の分割画像信号により示される、前記第１の部分画像を示す第１のデータ、第１のクロック信号及び第１のデータイネーブル信号をそれぞれ出力するステップと、
前記電子機器から前記第２の分割画像信号を受信し、該第２の分割画像信号により示される、前記第２の部分画像を示す第２のデータ、前記第１のクロック信号と同じ周波数の第２のクロック信号及び第２のデータイネーブル信号をそれぞれ出力するステップと、
前記第１又は第２のクロック信号と同じ周波数の第３のクロック信号を出力するステップと、
前記第１のデータイネーブル信号により示される書き込みタイミングで前記第１のデータを前記第１のクロック信号に同期して前記第１のメモリに書き込むステップと、
前記第２のデータイネーブル信号により示される書き込みタイミングで前記第２のデータを前記第２のクロック信号に同期して前記第２のメモリに書き込むステップと、
前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリから前記第３のクロック信号に基づいて前記第１及び第２のデータを読み出すステップと、を含む、画像信号伝送方法。
【発明の詳細な説明】
【技術分野】
【０００１】
本発明は、液晶ディスプレイ等の表示装置、表示装置に挿入されるオプションボード等の電子機器、これら表示装置及び電子機器を備えた表示システム、及び画像信号伝送方法に関する。
【背景技術】
【０００２】
最近の表示装置（特に、大型の表示装置）は、インタフェースの拡張や機能拡張のためのオプションスロットを備える。様々な機能を備えたオプションボードが提供されており、ユーザーは、所望の機能を備えたオプションボードをオプションスロットに挿入することができる。オプションボードには、例えば、メディアプレーやパーソナルコンピュータなどの信号発生装置の機能を備えるものもある。
オプションスロットに挿入されたオプションボードは、コネクタを介して表示装置側基板に電気的に接続される。一般に、表示装置側基板とオプションボードとの接続には、ユーザーによるオプションボードの挿抜作業を考慮して、比較的頑強で低密度のコネクタが用いられている。
特許文献１には、複数種のボード型機器（オプションボード）を選択的に装着可能な表示装置が記載されている。この表示装置は、第１及び第２のボード型機器を選択的に収容可能な機器収容スロットと、機器収容スロットの最奥部に設けられた装置側コネクタとを有する。第１及び第２のボード型機器はいずれも、機器側コネクタを備え、機器収容スロットに収容した状態で、機器側コネクタが装置側コネクタに電気的に接続される。
上記の表示装置においても、機器側コネクタ及び装置側コネクタには、比較的頑強で低密度のコネクタが用いられる。
【先行技術文献】
【特許文献】
【０００３】
【特許文献１】国際公開第２０１２／１１４４８３号
【発明の概要】
【０００４】
上述したオプションスロットを備えた表示装置及び特許文献１に記載の表示装置においては、以下のような問題がある。
近年、表示装置の高解像度化が進み、それに伴い、オプションボードで扱う信号の周波数も高くなってきている。一方、オプションスロットのコネクタは、低密度の接続構造であり、高周波信号に対応していない。よって、オプションボードからオプションスロットのコネクタを介して表示装置側基板に高解像度の画像信号を伝送すると、コネクタの伝送帯域不足のために、画像信号の波形に歪（段付き）が生じる場合がある。
【０００５】
なお、上記の高解像度化に伴う伝送帯域不足の問題は、オプションスロットのコネクタに限られるものではない。例えば、オプションボードの機能を内蔵した表示装置において、その機能回路と該機能回路からの信号を処理して表示部に出力する処理回路とが伝送路（配線パターン）を介して電気的に接続される場合に、伝送路の帯域不足のために上記歪（段付き）の問題が生じる場合がある。
また、今後は、表示装置の高解像度化がさらに進むことが予想されることから、上記のコネクタや伝送路の帯域不足は、より重要な問題になってきている。
本発明の目的は、上記問題を解決し、高解像度の画像信号を処理することができる、表示システム、表示装置、電子機器及び画像信号伝送方法を提供することにある。
【０００６】
上記目的を達成するため、本発明の一態様によれば、表示装置と、前記表示装置にコネクタを介して電気的に接続される電子機器と、を有する、表示システムであって、前記電子機器は、表示すべき元画像を示す元画像信号を受信し又は生成し、前記元画像を分割した複数の部分画像それぞれを示す複数の分割画像信号を出力し、前記表示装置は、前記電子機器から出力された前記複数の分割画像信号を合成した合成画像信号に基づいて前記元画像を表示する、表示システムが提供される。
本発明の別の態様によれば、表示すべき元画像を示す元画像信号を受信し又は生成し、前記元画像を分割した複数の部分画像それぞれを示す複数の分割画像信号を出力する電子機器がコネクタを介して電気的に接続される表示装置であって、前記電子機器から出力された前記複数の分割画像信号を合成して前記元画像を示す合成画像信号を出力する画像合成部と、前記合成画像信号に基づいて前記元画像を表示する表示部と、を有する、表示装置が提供される。
本発明のさらに別の態様によれば、表示すべき元画像を分割した複数の部分画像それぞれを示す、伝送形式が互いに異なる複数の分割画像信号を出力する画像分割部と、前記画像分割部から出力された前記複数の分割画像信号を合成して前記元画像を示す合成画像信号を出力する画像合成部と、前記合成画像信号に基づいて前記元画像を表示する表示部と、を有する、表示装置が提供される。
【０００７】
本発明のさらに別の態様によれば、コネクタを介して表示装置に電気的に接続される電子機器であって、表示すべき元画像を示す元画像信号を受信し又は生成し、前記元画像を分割した複数の部分画像それぞれを示す複数の分割画像信号を、前記コネクタを介して前記表示装置に送信する、電子機器が提供される。
本発明の他の態様によれば、表示装置と、前記表示装置にコネクタを介して電気的に接続される電子機器と、を有する表示システムにおいて行われる画像信号伝送方法であって、前記電子機器が、表示すべき元画像を示す元画像信号を受信し又は生成し、前記元画像を分割した複数の部分画像それぞれを示す複数の分割画像信号を出力し、前記表示装置が、前記電子機器から出力された前記複数の分割画像信号を合成した合成画像信号に基づいて前記元画像を表示する、画像信号伝送方法が提供される。
【図面の簡単な説明】
【０００８】
【図１】本発明の第１の実施形態である表示システムの主要な構成を示すブロック図である。
【図２】図１に示す表示システムのオプションボードの構成例を示すブロック図である。
【図３】図１に示す表示システムの表示装置側基板の画像合成部の構成例を示すブロック図である。
【図４】図１に示す表示システムにて行われるデータ位相調整の一例を説明するための図である。
【図５】図１に示す表示システムにて行われるデータ書き込み動作及びデータ読み出し動作を説明するためのタイミングチャートである。
【図６】本発明の第２の実施形態である表示システムのオプションボードの構成例を示すブロック図である。
【図７】本発明の第２の実施形態である表示システムの表示装置側基板の画像合成部の構成例を示すブロック図である。
【発明を実施するための形態】
【０００９】
次に、本発明の実施形態について図面を参照して説明する。
（第１の実施形態）
図１は、本発明の第１の実施形態である表示システムの主要な構成を示すブロック図である。
図１を参照すると、表示システムは、オプションボード１（電子機器）と表示装置２を有する。表示装置２は、液晶ディスプレイ等のデジタルディスプレイであって、表示装置側基板２ａ、表示部２ｂ及びコネクタ２ｃを有する。
コネクタ２ｃは、オプションスロットのコネクタである。オプションボード１をオプションスロットに挿入することで、オプションボード１がコネクタ２ｃを介して表示装置側基板２ａに電気的に接続される。表示部２ｂは、液晶パネル等である。
【００１０】
オプションボード１は、第１の画像（元画像）を示す第１の画像信号を入力とし、第１の画像を複数の部分画像に分割し、該部分画像それぞれを示す複数の分割画像信号を出力する画像分割部を有する。複数の分割画像信号は、伝送方式が同じ信号であっても、伝送方式が互いに異なる信号であってもよい。伝送方式が互いに異なる複数の画像信号は、例えば、ＨＤＭＩ（High-Definition Multimedia Interface）を使用して送信される信号やディスプレイポートを使用して送信される信号などである。
ＨＤＭＩ（登録商標）は、映像・音声をデジタル信号で伝送する通信インタフェースの標準規格である。このＨＤＭＩでは、映像信号とクロック信号が別々に送信される。一方、ディスプレイポートは、液晶ディスプレイなどのデジタルディスプレイ装置のために設計されたデジタル映像出力インタフェースの規格である。このディスプレイポートでは、データ（映像／音声）はパケット化されて送信される。この場合、外部クロックを用いずに、データからクロックが生成される。
表示装置側基板２ａは、オプションボード１から出力された複数の分割画像信号を合成して、第１の画像に対応する第２の画像を示す第２の画像信号を出力する画像合成部を有する。表示部２ｂは、第２の画像信号に基づいて第２の画像を表示する。
【００１１】
上記の表示システムによれば、オプションボード１が画像信号を複数の分割画像信号に分割し、各分割画像信号はコネクタ２ｃを介して表示装置側基板２ａにパラレル送信される。この場合、分割前の画像信号と比較して各分割画像信号の周波数は半減するので、コネクタ２ｃを通過する信号の周波数を低くすることができ、その結果、コネクタ２ｃの帯域不足による画像信号への影響を抑制することができる。
【００１２】
次に、オプションボード１及び表示装置側基板２ａの具体的な構成について説明する。以下では、一例として、画像を上下又は左右に２分割する形態について説明する。
図２に、オプションボード１の構成例を示し、図３に、表示装置側基板２ａの画像合成部の構成例を示す。
図２に示すように、オプションボード１は、信号受信部１０と、画像分割部１１を有する。画像分割部１１は、信号分割部１２及び信号出力部１３、１４を有する。
信号受信部１０は、パーソナルコンピュータやメディアプレーヤーなどの外部装置から画像信号Ｓ１を受信する。信号受信部１０は、画像信号Ｓ１を内部で処理し易い形式（専用フォーマット又は既存のフォーマット）に変換した画像信号Ｓ２を信号分割部１２に供給する。
信号分割部１２は、画像信号Ｓ２により示される画像を第１及び第２の部分画像に分割し、第１の部分画像を示す画像信号Ｓ３を信号出力部１３に供給し、第２の部分画像を示す画像信号Ｓ４を信号出力部１４に供給する。信号分割部１２は、画像を上下に２分割してもよく、また、画像を左右に２分割してもよい。
【００１３】
信号出力部１３は、画像信号Ｓ３を伝送すべき形式に変換した画像信号Ｓ５を出力する。信号出力部１４は、画像信号Ｓ４を伝送すべき形式に変換した画像信号Ｓ６を出力する。ここで、伝送すべき形式は、ＨＤＭＩやディスプレイポートなどの伝送形式である。信号出力部１３、１４は、同じ伝送形式を用いてもよく、また、互いに異なる伝送形式を用いてもよい。
図３に示すように、表示装置側基板２ａは、信号受信部２０、２１、データ書き込み部２２、２３、メモリ２４、２５、データ読み出し部２６、２７、クロック生成部２８及び信号合成部２９を有する。
信号受信部２０は、オプションボード１からコネクタ２ｃを介して画像信号Ｓ５を受信し、画像信号Ｓ５をメモリへの書き込みに適した形式に変換する。信号受信部２０は、第１の部分画像を示すデータＤ１と、データＤ１をサンプリングするためのクロックＣＬＫ１と、データＤ１をメモリ２４に書き込むための書き込みタイミングを示すデータイネーブル信号ＤＥ１とをデータ書き込み部２２に供給する。データイネーブル信号ＤＥ１は、データ読み出し部２６、２７にも供給される。
例えば、画像信号Ｓ５がＨＤＭＩの伝送方式で送信されたＨＤＭＩ信号である場合は、クロックＣＬＫ１は、ＨＤＭＩ信号に含まれるクロックであってもよい。画像信号Ｓ５がディスプレイポートの伝送方式で送信されたディスプレイポート信号である場合は、信号受信部２０は、ディスプレイポート信号に同期したクロックＣＬＫ１を生成する。
【００１４】
信号受信部２１は、オプションボード１からコネクタ２ｃを介して画像信号Ｓ６を受信し、画像信号Ｓ６をメモリへの書き込みに適した形式に変換する。信号受信部２１は、第２の部分画像を示すデータＤ２と、データＤ２をサンプリングするためのクロックＣＬＫ２と、データＤ２をメモリ２５に書き込むための書き込みタイミングを示すデータイネーブル信号ＤＥ２とをデータ書き込み部２３に供給する。データイネーブル信号ＤＥ２は、データ読み出し部２６、２７にも供給される。
例えば、画像信号Ｓ６がＨＤＭＩ信号である場合は、クロックＣＬＫ２は、ＨＤＭＩ信号に含まれるクロックであってもよい。画像信号Ｓ６がディスプレイポート信号である場合は、信号受信部２１は、ディスプレイポート信号に同期したクロックＣＬＫ２を生成する。
【００１５】
データ書き込み部２２は、データＤ１をクロックＣＬＫ１でサンプリングし、データイネーブル信号ＤＥ１により示される書き込みタイミングで、サンプリングしたデータをメモリ２４に書き込む。データ書き込み部２３は、データＤ２をクロックＣＬＫ２でサンプリングし、データイネーブル信号ＤＥ２により示される書き込みタイミングで、サンプリングしたデータをメモリ２５に書き込む。メモリ２４、２５は、半導体メモリ等である。
クロック生成部２８は、クロックＣＬＫ３を生成する。クロック生成部２８は、クロックＣＬＫ３をデータ読み出し部２６、２７に供給する。クロックＣＬＫ１〜ＣＬＫ３の周波数は同じであることが望ましい。
【００１６】
データ読み出し部２６は、データイネーブル信号ＤＥ１、ＤＥ２のうち、信号波形の立ち上がりタイミングが遅い方のデータイネーブル信号をデータ読み出し用のデータイネーブル信号として用いる。データ読み出し部２６は、データ読み出し用のデータイネーブル信号の立ち上がりタイミングで、クロックＣＬＫ３に同期してメモリ２４からデータＤ１’を読み出す。データ読み出し部２６は、データＤ１’を示す画像信号Ｓ７を信号合成部２９に供給する。
データ読み出し部２７は、データイネーブル信号ＤＥ１、ＤＥ２のうち、信号波形の立ち上がりタイミングが遅い方のデータイネーブル信号をデータ読み出し用のデータイネーブル信号として用いる。データ読み出し部２７は、データ読み出し用のデータイネーブル信号の立ち上がりタイミングで、クロックＣＬＫ３に同期してメモリ２５からデータＤ２’を読み出す。データ読み出し部２７は、データＤ２’を示す画像信号Ｓ８を信号合成部２９に供給する。
【００１７】
信号合成部２９は、画像信号Ｓ７（データＤ１’）と画像信号Ｓ８（データＤ２’）を合成して、元の画像（画像信号Ｓ２により示される画像）に対応する合成画像を示す画像信号Ｓ９を出力する。例えば、データＤ１’が元画像の左半分のデータであり、データＤ２’が元画像の右半分のデータである場合は、信号合成部２９は、それら左右のデータＤ１’、Ｄ２’を繋ぎあわせた合成画像を示す画像信号Ｓ９を出力する。画像信号Ｓ９は、図１に示した表示部２に供給される。表示部２は、画像信号Ｓ９に基づく画像を表示する。
データＤ１、Ｄ１’がそれぞれ元画像の左半分のデータであり、データＤ２、Ｄ２’がそれぞれ元画像の右半分のデータである場合、メモリ２４、２５にデータＤ１、Ｄ２を書き込みながら、メモリ２４、２５からデータＤ１’、Ｄ２’を読み出すことができる。一方、データＤ１、Ｄ１’がそれぞれ元画像の上半分のデータであり、データＤ２、Ｄ２’がそれぞれ元画像の下半分のデータである場合は、メモリ２４、２５にデータＤ１、Ｄ２を書き込んだ後、メモリ２４からデータＤ１’を読み出し、その後、メモリ２５からデータＤ２’を読み出す。前者の処理の方が、後者の処理よりも速い。
上記のオプションボード１及び表示装置側基板２ａによれば、画像を分割することによる周波数の削減に加えて、分割画像信号を合成する際の位相調整が可能である。
具体的に説明すると、信号分割部１２での画像分割及び信号出力部１３、１４でのデータ形式変換において、分割画像信号Ｓ５、Ｓ６（データＤ１、Ｄ２）の間に遅延による位相ずれが生じる場合がある。この位相ずれを補正しないと、正確な画像合成が困難になる。
【００１８】
表示装置側基板２ａでは、データ読み出し部２６、２７が同じクロックＣＬＫ３を用いてメモリ２４、２５からデータＤ１’、Ｄ２’を読み出すこと（クロック変換）により、信号合成部２９はデータＤ１’、Ｄ２’を同期して受け取ることができる。また、データ読み出し部２６、２７は、データイネーブル信号ＤＥ１、ＤＥ２のうちの遅い方のデータイネーブル信号を用いてメモリ２４、２５からデータＤ１’、Ｄ２’を読み出すこと（データイネーブル信号調整）により、データＤ１’、Ｄ２’を遅い方のデータイネーブル信号の位相に揃えることができる。これにより、信号合成部２９は、データＤ１’、Ｄ２’に基づいて元の画像を正確に合成することができる。
図４に、データＤ１、Ｄ２の間で１画素を超える位相ずれが生じた場合のクロック変換及びデータイネーブル信号調整による補正を模式的に示す。
【００１９】
図４に示すように、クロックＣＬＫ１に同期してデータＤ１がメモリ２４に書き込まれ、クロックＣＬＫ２に同期してデータＤ２がメモリ２５に書き込まれる。データＤ１、Ｄ２の間には、１．５クロック分（１．５画素分）の位相ずれが生じている。この１．５クロック分の位相ずれのうち、０．５クロック分の位相ずれβについては、クロック変換を行うことで補正され、１．０クロック分の位相ずれαについては、データイネーブル信号調整を行うことで補正される。
図５に、データイネーブル信号ＤＥ１、ＤＥ２のうちの遅い方のデータイネーブル信号ＤＥ２を用いた位相補正を模式的に示す。図５に示すように、データイネーブル信号ＤＥ２を用いてデータＤ１’、Ｄ２’を読み出すことにより、データＤ１’、Ｄ２’をデータイネーブル信号ＤＥ２の位相に揃えることができる。
【００２０】
以上説明した表示システムは、本発明の一例であり、その構成及び動作は適宜に変更可能である。例えば、以下のような変形が行われてもよい。
データ読み出し部２６、２７は、データイネーブル信号ＤＥ１、ＤＥ２のうちの遅い方のデータイネーブル信号を用いてメモリ２４、２５からデータＤ１’、Ｄ２’を読み出すように構成されているが、これに限定されない。データ読み出し部２６、２７は、データイネーブル信号ＤＥ１、ＤＥ２よりも遅いタイミングのデータイネーブル信号を用いてメモリ２４、２５からデータＤ１’、Ｄ２’を読み出してもよい。これにより、データＤ１、Ｄ２のメモリ２４、２５への書き込みタイミングに対して、メモリ２４、２５からのデータＤ１’、Ｄ２’の読み出しを、十分なマージンを持って実行することができる。
信号出力部１３及び信号受信部２０の第１のセットと、信号出力部１４及び信号受信部２１の第２のセットとを共に、ＨＤＭＩ対応の構造にしてもよい。この場合、クロックＣＬＫ１、ＣＬＫ２は共にＨＤＭＩ信号のクロックに同期しているので、画素単位での位相ずれが生じるが、１画素以内の位相ずれは起きにくくなる。よって、データイネーブル信号調整が有効である。
【００２１】
上記第１及び第２のセットを共に、ディスプレイポート対応の構造にしてもよい。この場合は、クロックＣＬＫ１、ＣＬＫ２は同期していないので、１画素以内の位相ずれが起きる場合がある。例えば、０．５画素分や１．５画素分といった位相ずれが生じる場合がある。よって、クロック変換及びデータイネーブル信号調整が有効である。
上記第１及び第２のセットの一方をＨＤＭＩ対応の構造とし、他方をディスプレイポート対応の構造にしてもよい。この場合も、１画素以内の位相ずれが起きる場合があるため、クロック変換及びデータイネーブル信号調整が有効である。
オプションボード１において、信号受信部１０に代えて、画像信号Ｓ２を生成する信号生成部が設けられてもよい。
また、オプションボード１において、信号受信部１０及び信号分割部１２に代えて、分割画像信号Ｓ３、Ｓ４に対応する２つの画像信号をそれぞれ生成する信号生成部が設けられてもよい。
【００２２】
（第２の実施形態）
本発明の第２の実施形態である表示システムは、第１の実施形態と同様、オプションボード１と表示装置２を有するが、表示装置側基板２ａが、オプションボード１を認識する点で、第１の実施形態と異なる。図６に、オプションボード１の構成を示し、図７に、表示装置側基板２ａの構成を示す。
図６に示すように、オプションボード１は、図２に示した構成に加えて、オプションボード１を識別するための情報であるＩＤ信号（識別情報）を出力するＩＤ出力部１５（識別情報出力部）を有する。ＩＤ出力部１５から出力されたＩＤ信号は、コネクタ２ｃを介して表示装置側基板２ａに供給される。
【００２３】
図７に示すように、表示装置側基板２ａは、画像合成部３０、ＩＤ受信部３１及びＣＰＵよりなる制御部３２を有する。画像合成部３０は、図３に示した構成を含む。
ＩＤ受信部３１は、コネクタ２ｃを介してＩＤ出力部１５と電気的に接続され、ＩＤ出力部１５からＩＤ信号を受信する。ＩＤ受信部３１は、ＩＤ信号を制御部３２に供給する。制御部３２は、ＩＤ信号に基づいてオプションボード１を認識し、画像合成部３０の動作を制御する。
例えば、制御部３２は、ＩＤ信号に基づいてオプションボード１が図２に示した構造のものであるか否かを判定する。オプションボード１が図２に示した構造のものである場合にのみ、制御部３２は、画像合成部３０による画像合成動作を行わせる。オプションボード１が図２に示した構造のものでない場合は、制御部３２は、所定のメッセージ（例えば、非対応のオプションボードである旨のメッセージ）を表示部２ｂに表示する。
【００２４】
本実施形態の表示システムによれば、第１の実施形態で説明した効果に加えて、オプションボードの対応／非対応を判断することができる。
また、表示装置側基板２ａの信号受信部２０、２１が共にＨＤＭＩ／ディスプレイポートの切り替えが可能な構成である場合、制御部３２は、ＩＤ信号に基づいて以下のような制御を行ってもよい。
信号出力部１３、１４が共にＨＤＭＩ対応であるオプションボード１がコネクタ２ｃを介して表示装置側基板２ａに接続された場合、制御部３２は、ＩＤ信号に基づいてオプションボード１を認識する。オプションボード１を認識した制御部３２は、信号受信部２０、２１を共にＨＤＭＩに設定する。
信号出力部１３、１４が共にディスプレイポート対応であるオプションボード１がコネクタ２ｃを介して表示装置側基板２ａに接続された場合、制御部３２は、ＩＤ信号に基づいてオプションボード１を認識する。オプションボード１を認識した制御部３２は、信号受信部２０、２１を共にディスプレイポートに設定する。
【００２５】
信号出力部１３がＨＤＭＩ対応であり、信号出力部１４がディスプレイポート対応であるオプションボード１がコネクタ２ｃを介して表示装置側基板２ａに接続された場合、制御部３２は、ＩＤ信号に基づいてオプションボード１を認識する。オプションボード１を認識した制御部３２は、信号受信部２０をＨＤＭＩに設定し、信号受信部２１をディスプレイポートに設定する。
信号出力部１３がディスプレイポート対応であり、信号出力部１４がＨＤＭＩ対応であるオプションボード１がコネクタ２ｃを介して表示装置側基板２ａに接続された場合、制御部３２は、ＩＤ信号に基づいてオプションボード１を認識する。オプションボード１を認識した制御部３２は、信号受信部２０をディスプレイポートに設定し、信号受信部２１をＨＤＭＩに設定する。
上記の構成によれば、ＨＤＭＩ対応やディスプレイポート対応のオプションボードを用いることができるので、利便性が向上する。
本実施形態の表示システムにおいても、第１の実施形態で説明したような変形例を適用することができる。
【００２６】
（他の実施形態）
本発明の他の実施形態である表示装置は、オプションボード１に対応する機能を備えた画像分割部を内蔵したものであり、この画像分割部の他に、第１の実施形態で説明した表示装置側基板２ａ及び表示部２ｃを有する。画像分割部と表示装置側基板２ａは、コネクタ２ｃではなく、伝送路（配線）を介して電気的に接続されている。画像分割部と表示装置側基板２ａは、同一基板上に形成されてもよく、異なる基板に形成されてもよい。
画像分割部の動作は、第１の実施形態で説明したオプションボード１と同じである。表示装置側基板２ａ及び表示部２ｂの動作も、第１の実施形態で説明したとおりである。よって、ここでは、簡単に動作を説明する。
【００２７】
画像分割部は、パーソナルコンピュータ等の外部装置から第１の画像を示す第１の画像信号を受信する。画像分割部は、第１の画像を複数の部分画像に分割し、該部分画像それぞれを示す、伝送形式が互いに異なる複数の分割画像信号を表示装置側基板２ａに供給する。
表示装置側基板２ａは、画像分割部から出力された複数の分割画像信号を合成して、第１の画像に対応する第２の画像を示す第２の画像信号を出力する画像合成部を有する。表示部２ｂは、第２の画像信号に基づいて第２の画像を表示する。
【００２８】
本他の実施形態の表示装置によれば、以下のような作用効果を奏する。
高解像度の第１の画像信号をそのまま表示装置側基板２ａに供給すると、伝送路の伝送帯域不足のために、画像信号の波形に歪（段付き）が生じる場合がある。
画像分割部が第１の画像信号を複数の分割画像信号に分割し、各分割画像信号は表示装置側基板２ａにパラレル転送される。この場合、分割前の画像信号と比較して各分割画像信号の周波数は半減するので、伝送路を通過する信号の周波数を低くすることができ、その結果、伝送路の帯域不足による画像信号への影響を抑制することができる。
本他の実施形態の表示装置においても、第１の実施形態で説明した変形を適宜に適用することができる。
以上説明した各実施形態において、部分画像は、インターレースで用いられるような部分画像を含んでいてもよい。
また、各実施形態において、元画像を上下又は左右に２分割することにより、表示装置に備えられたＰｂＰ（Ｐｉｃｔｕｒｅ  ｂｙ  Ｐｉｃｔｕｒｅ）の表示機能を用いて、高解像度の画像を表示できる。
また、第１及び第２の実施形態において、複数の分割画像信号を互いに異なる伝送形式で出力する構成を採用した場合に、規格化されたコネクタを利用することで、伝送帯域不足の問題を解決することができる。
また、第１及び第２の実施形態において、分割画像信号の周波数におけるコネクタの損失は、元画像信号の周波数におけるコネクタの損失より小さい。このため、分割画像信号を用いることにより、コネクタによる画像信号への影響を抑制することができる。他の実施形態における伝送路の損失についても、同様のことが言える。
【００２９】
また、本発明は、以下の付記１〜３０のような形態をとり得るが、これら形態に限定されない。
［付記１］
表示装置と、前記表示装置にコネクタを介して電気的に接続される電子機器と、を有する、表示システムであって、
前記電子機器は、表示すべき元画像を示す元画像信号を受信し又は生成し、前記元画像を分割した複数の部分画像それぞれを示す複数の分割画像信号を出力し、
前記表示装置は、前記電子機器から出力された前記複数の分割画像信号を合成した合成画像信号に基づいて前記元画像を表示する、表示システム。
［付記２］
付記１に記載の表示システムにおいて、
前記複数の分割画像信号の周波数における前記コネクタの損失は、前記元画像信号の周波数における前記コネクタの損失より小さい、表示システム。
［付記３］
付記１又は２に記載の表示システムにおいて、
前記電子機器は、前記複数の分割画像信号を互いに異なる伝送形式で出力する、表示システム。
［付記４］
付記１又は２に記載の表示システムにおいて、
前記電子機器は、前記複数の分割画像信号を同一の伝送形式で出力する、表示システム。
［付記５］
付記１乃至４のいずれか１つに記載の表示システムにおいて、
前記電子機器は、前記元画像を上下又は左右に２分割した一方の部分画像を示す第１の分割画像信号と、他方の部分画像を示す第２の分割画像信号と、を出力し、
前記表示装置は、前記第１及び第２の分割画像信号を合成して前記元画像を示す合成画像信号を出力する、表示システム。
［付記６］
付記５に記載の表示システムにおいて、
前記表示装置は、
前記第１の分割画像信号により示される、前記一方の部分画像を示す第１のデータが書き込まれる第１のメモリと、
前記第２の分割画像信号により示される、前記他方の部分画像を示す第２のデータが書き込まれる第２のメモリと、
前記第１のメモリから前記第１のデータを読み出す第１のデータ読み出し部と、
前記第２のメモリから前記第２のデータを読み出す第２のデータ読み出し部と、を有し、
前記第１及び第２のデータ読み出し部は、同一のクロック信号を用いて前記第１及び第２のメモリからの前記第１及び第２のデータの読み出しを行う、表示システム。
［付記７］
付記６に記載の表示システムにおいて、
前記表示装置は、
前記電子機器から前記第１の分割画像信号を受信し、前記第１のデータ、第１のクロック信号及び第１のデータイネーブル信号をそれぞれ出力する第１の信号受信部と、
前記電子機器から前記第２の分割画像信号を受信し、前記第２のデータ、前記第１のクロック信号と同じ周波数の第２のクロック信号及び第２のデータイネーブル信号をそれぞれ出力する第２の信号受信部と、
前記第１のデータイネーブル信号により示される書き込みタイミングで前記第１のデータを前記第１のクロック信号に同期して前記第１のメモリに書き込む第１のデータ書き込み部と、
前記第２のデータイネーブル信号により示される書き込みタイミングで前記第２のデータを前記第２のクロック信号に同期して前記第２のメモリに書き込む第２のデータ書き込み部と、
前記第１又は第２のクロック信号と同じ周波数の第３のクロック信号を出力するクロック生成部と、をさらに有し、
前記第１及び第２のデータ読み出し部はそれぞれ、前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリのうちの対応するメモリから前記第３のクロック信号に基づいてデータを読み出す、表示システム。
［付記８］
付記１乃至７のいずれか１つに記載の表示システムにおいて、
前記電子機器は、当該電子機器を識別する識別情報を出力する識別情報出力部を、さらに有し、
前記表示装置は、前記識別情報に基づいて前記電子機器を認識し、前記複数の分割画像信号を合成する動作を制御する制御部を、さらに有する、表示システム。
［付記９］
表示すべき元画像を示す元画像信号を受信し又は生成し、前記元画像を分割した複数の部分画像それぞれを示す複数の分割画像信号を出力する電子機器がコネクタを介して電気的に接続される表示装置であって、
前記電子機器から出力された前記複数の分割画像信号を合成して前記元画像を示す合成画像信号を出力する画像合成部と、
前記合成画像信号に基づいて前記元画像を表示する表示部と、を有する、表示装置。
［付記１０］
付記９に記載の表示装置において、
前記複数の分割画像信号の周波数における前記コネクタの損失は、前記元画像信号の周波数における前記コネクタの損失より小さい、表示装置。
［付記１１］
付記９又は１０に記載の表示装置において、
前記画像合成部は、前記電子機器から互いに異なる伝送形式で出力された前記複数の分割画像信号を合成して前記元画像を示す合成画像信号を出力する、表示装置。
［付記１２］
付記９又は１０に記載の表示装置において、
前記画像合成部は、前記電子機器から同一の伝送形式で出力された前記複数の分割画像信号を合成して前記元画像を示す合成画像信号を出力する、表示装置。
［付記１３］
付記９乃至１２いずれか１つに記載の表示装置において、
前記複数の分割画像信号は、前記元画像を上下又は左右に２分割した一方の部分画像を示す第１の分割画像信号と他方の部分画像を示す第２の分割画像信号を含み、
前記画像合成部は、前記第１及び第２の分割画像信号を合成して前記元画像を示す合成画像信号を出力する、表示装置。
［付記１４］
付記１３に記載の表示装置において、
前記画像合成部は、
前記第１の分割画像信号により示される、前記一方の部分画像を示す第１のデータが書き込まれる第１のメモリと、
前記第２の分割画像信号により示される、前記他方の部分画像を示す第２のデータが書き込まれる第２のメモリと、
前記第１のメモリから前記第１のデータを読み出す第１のデータ読み出し部と、
前記第２のメモリから前記第２のデータを読み出す第２のデータ読み出し部と、を有し、
前記第１及び第２のデータ読み出し部は、同一のクロック信号を用いて前記第１及び第２のメモリからの前記第１及び第２のデータの読み出しを行う、表示装置。
［付記１５］
付記１４に記載の表示装置において、
前記画像合成部は、
前記電子機器から前記第１の分割画像信号を受信し、前記第１のデータ、第１のクロック信号及び第１のデータイネーブル信号をそれぞれ出力する第１の信号受信部と、
前記電子機器から前記第２の分割画像信号を受信し、前記第２のデータ、前記第１のクロック信号と同じ周波数の第２のクロック信号及び第２のデータイネーブル信号をそれぞれ出力する第２の信号受信部と、
前記第１のデータイネーブル信号により示される書き込みタイミングで前記第１のデータを前記第１のクロック信号に同期して前記第１のメモリに書き込む第１のデータ書き込み部と、
前記第２のデータイネーブル信号により示される書き込みタイミングで前記第２のデータを前記第２のクロック信号に同期して前記第２のメモリに書き込む第２のデータ書き込み部と、
前記第１又は第２のクロック信号と同じ周波数の第３のクロック信号を出力するクロック生成部と、をさらに有し、
前記第１及び第２のデータ読み出し部はそれぞれ、前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリのうちの対応するメモリから前記第３のクロック信号に基づいてデータを読み出す、表示装置。
［付記１６］
付記９乃至１５のいずれか１つに記載の表示装置において、
前記電子機器から、当該電子機器を識別する識別情報を受信する受信部と、
前記識別情報に基づいて前記電子機器を認識し、前記複数の分割画像信号を合成する動作を制御する制御部と、をさらに有する、表示装置。
［付記１７］
表示すべき元画像を分割した複数の部分画像それぞれを示す、伝送形式が互いに異なる複数の分割画像信号を出力する画像分割部と、
前記画像分割部から出力された前記複数の分割画像信号を合成して前記元画像を示す合成画像信号を出力する画像合成部と、
前記合成画像信号に基づいて前記元画像を表示する表示部と、を有する、表示装置。
［付記１８］
付記１７に記載の表示装置において、
前記画像分割部及び画像合成部は同一基板上に形成されている、表示装置。
［付記１９］
コネクタを介して表示装置に電気的に接続される電子機器であって、
表示すべき元画像を示す元画像信号を受信し又は生成し、前記元画像を分割した複数の部分画像それぞれを示す複数の分割画像信号を、前記コネクタを介して前記表示装置に送信する、電子機器。
［付記２０］
付記１９に記載の電子機器であって、
前記複数の分割画像信号の周波数はいずれも、前記元画像信号の周波数より小さい、電子機器。
［付記２１］
付記１９又は２０に記載の電子機器において、
前記複数の分割画像信号を互いに異なる伝送形成で前記表示装置に送信する、電子機器。
［付記２２］
付記１９乃至２１のいずれか１項に記載の電子機器において、
前記コネクタを介して当該電子機器を識別する識別情報を前記表示装置に送信する識別情報出力部を、さらに有する、電子機器。
［付記２３］
表示装置と、前記表示装置にコネクタを介して電気的に接続される電子機器と、を有する表示システムにおいて行われる画像信号伝送方法であって、
前記電子機器が、表示すべき元画像を示す元画像信号を受信し又は生成し、前記元画像を分割した複数の部分画像それぞれを示す複数の分割画像信号を出力し、
前記表示装置が、前記電子機器から出力された前記複数の分割画像信号を合成した合成画像信号に基づいて前記元画像を表示する、画像信号伝送方法。
［付記２４］
付記２３に記載の画像信号伝送方法において、
前記複数の分割画像信号の周波数における前記コネクタの損失は、前記元画像信号の周波数における前記コネクタの損失より小さい、画像信号伝送方法。
［付記２５］
付記２３又は２４に記載の画像信号伝送方法において、
前記電子機器が、前記複数の分割画像信号を互いに異なる伝送形式で出力すること、をさらに含む、画像信号伝送方法。
［付記２６］
付記２３又は２４に記載の画像信号伝送方法において、
前記電子機器が、前記複数の分割画像信号を同一の伝送形式で出力すること、をさらに含む、画像信号伝送方法。
［付記２７］
付記２３乃至２６のいずれか１つに記載の画像信号伝送方法において、
前記電子機器が、前記元画像を上下又は左右に２分割した一方の部分画像を示す第１の分割画像信号と、他方の部分画像を示す第２の分割画像信号と、を出力し、
前記表示装置が、前記第１及び第２の分割画像信号を合成して前記元画像を示す合成画像信号を出力すること、をさらに含む、画像信号伝送方法。
［付記２８］
付記２７に記載の画像信号伝送方法において、
前記表示装置が、前記第１の分割画像信号により示される、前記一方の部分画像を示す第１のデータを第１のメモリに書き込み、前記第２の分割画像信号により示される、前記他方の部分画像を示す第２のデータを第２のメモリに書き込み、同一のクロック信号を用いて、前記第１及び第２のメモリからの前記第１及び第２のデータを読み出すこと、をさらに含む、画像信号伝送方法。
［付記２９］
付記２８に記載の画像信号伝送方法において、
前記表示装置が、
前記電子機器から前記第１の分割画像信号を受信し、前記第１のデータ、第１のクロック信号及び第１のデータイネーブル信号をそれぞれ出力し、
前記電子機器から前記第２の分割画像信号を受信し、前記第２のデータ、前記第１のクロック信号と同じ周波数の第２のクロック信号及び第２のデータイネーブル信号をそれぞれ出力し、
前記第１のデータイネーブル信号により示される書き込みタイミングで前記第１のデータを前記第１のクロック信号に同期して前記第１のメモリに書き込み、
前記第２のデータイネーブル信号により示される書き込みタイミングで前記第２のデータを前記第２のクロック信号に同期して前記第２のメモリに書き込み、
前記第１及び第２のデータイネーブル信号のうちのタイミングが遅い方のデータイネーブル信号、又は前記第１及び第２のデータイネーブル信号のいずれよりもタイミングが遅いデータイネーブル信号を用い、該データイネーブル信号により示される読み出しタイミングで、前記第１及び第２のメモリのうちの対応するメモリから、前記第１又は第２のクロック信号と同じ周波数の第３のクロック信号に基づいてデータを読み出すこと、をさらに含む、画像信号伝送方法。
［付記３０］
付記２３乃至２９のいずれか１つに記載の画像信号伝送方法において、
前記電子機器が、当該電子機器を識別する識別情報を出力し、
前記表示装置が、前記識別情報に基づいて前記電子機器を認識し、前記複数の分割画像信号を合成する動作を制御することを含む、画像信号伝送方法。
【符号の説明】
【００３０】
１  オプションボード
２  表示装置
２ａ表示装置側基板
２ｂ  表示部
２ｃ  コネクタ
１０  信号受信部
１１  画像分割部
１２  信号分割部
１３、１４  信号出力部
２０、２１  信号受信部
２２、２３  データ書き込み部
２４、２５  メモリ
２６、２７  データ読み出し部
２８  クロック生成部
２９  信号合成部
【図１】
0006462726.tif 000002
【図２】
0006462726.tif 000003
【図３】
0006462726.tif 000004
【図４】
0006462726.tif 000005
【図５】
0006462726.tif 000006
【図６】
0006462726.tif 000007
【図７】
0006462726.tif 000008